(57)【要約】【課題】  簡単な構成で、使用者が仰向けに寝た状態や横向きに寝た状態でも使用可能なノート型パソコン用台を提供すること。【解決手段】  第１、第２支持部材１０１、１０７はヒンジ１０６によって相互に回転可能に連結されている。第１、第２支持部材１０１、１０７上にノート型パソコン５０１を開いて載置した状態で、突起部材１０２はノート型パソコン５０１が第１支持部材１０１上から脱落しないように規制する。第３支持部材１１２と一体に設けられたヒンジ１１３に接着された面ファスナ１１４と、第２支持部材１０７背面に接着された面ファスナ１１０との貼り付け位置を変えることにより、第１、第２支持部材１０１、１０７の相対的角度を変えて、パソコン５０１の角度を調整する。使用者は仰向けに寝た状態で、パソコン５０１を載せた状態のノート型パソコン用台１００を自己の胸上に載せてパソコン５０１を操作する。【選択図】  図６
2010009460.tif 000002
【特許請求の範囲】
【請求項１】
平板状の第１支持部材と、前記第１支持部材に対して回転可能に構成され前記第１支持部材とともにノート型パソコンを支持する第２支持部材と、前記第２支持部材を、前記第１支持部材と第２支持部材間の角度が変えられるように前記第１支持部材に支持する第３支持部材と、前記第１支持部材上面の端部に設けられた突起部材とを有し、
前記第１、第２支持部材上にノート型パソコンが開いた状態で載置された場合に、前記ノート型パソコンが前記第１支持部材上から脱落しないように前記突起部材によって規制することを特徴とするノート型パソコン用台。
【請求項２】
前記第３支持部材の一端側は第１ヒンジによって回転可能に前記第１支持部材に取り付けられると共に前記第３支持部材の他端側には第２ヒンジ及び前記第２ヒンジと一体に第１面ファスナが設けられ、前記第２支持部材の下面側には前記第１面ファスナと貼り付くことが可能な第２面ファスナが一体に設けられ、前記第１面ファスナと第２面ファスナの貼り付け位置を変えることによって前記第１支持部材と第２支持部材間の角度が可変に構成されて成り、
前記第１支持部材の上面と前記第２支持部材の上面がなす角が鈍角になるように、前記第２支持部材が前記第３支持部材によって支持されることを特徴とする請求項１記載のノート型パソコン用台。
【請求項３】
相対的に開閉自在に構成されると共にキーボードが設けられた第１筐体と表示部が設けられた第２筐体とを有するノート型パソコンと、請求項１又は２記載のノート型パソコン用台を用いて、
使用者の胸上に載置した前記第１支持部材及び前記第１支持部材に対して所定角度開いた状態で前記第３支持部材によって支持した第２支持部材の上に、前記ノート型パソコンの第１筐体及び第２筐体を相対的に所定角度開いた状態で前記第１筐体を載置すると共に前記第１筐体の前部側が前記突起部材に当接するように位置させて使用することを特徴とするノート型パソコン用台の使用方法。
【請求項４】
前記第１支持部材の上面及び第２支持部材の上面と前記ノート型パソコンの第１筐体との間に、前記ノート型パソコンが前記第１支持部材の上面及び第２支持部材の上面から滑り落ちないように所定の摩擦係数を有する滑り防止シートを配置して使用することを特徴とする請求項３記載のノート型パソコン用台の使用方法。
【発明の詳細な説明】
【技術分野】
【０００１】
本発明は、ノート型パソコンを載せて使用するノート型パソコン用台及びその使用方法に関する。
【背景技術】
【０００２】
従来から、パーソナルコンピュータ（パソコン）を、病院のベッドの上等の種々の環境で使用できるように、パソコンを載せて使用するパソコン用台が開発されている。
例えば、特許文献１には、ベッド上でノート型パソコンを使用できるようにしたベッド固定ノート型パソコン台が開示されている。前記ベッド固定ノート型パソコン台は井桁状ステー等を構成要素としているため、ベッドに固定した状態でも仰ぎ角の調整等が可能であり、使用者の環境に合わせた使用が可能である。
しかしながら、井桁状ステーや高さ調整軸等の多くの構成要素を有しているため、構成が複雑であり、高価になるという問題がある。
また、ベッドに固定して使用するパソコン台であるため、仰向きに寝た状態で使用するのが困難であったり、横向きに寝た状態での使用等が困難という問題がある。
【０００３】
【特許文献１】特開２００８−２９７８４号公報
【発明の開示】
【発明が解決しようとする課題】
【０００４】
本発明は、簡単な構成で、使用者が仰向けに寝た状態や横向きに寝た状態でも使用可能なノート型パソコン用台を提供することを課題としている。
また本発明は、使用者が仰向けに寝た状態や横向きに寝た状態でも使用可能なノート型パソコン用台の使用方法を提供することを課題としている。
【課題を解決するための手段】
【０００５】
本発明によれば、平板状の第１支持部材と、前記第１支持部材に対して回転可能に構成され前記第１支持部材とともにノート型パソコンを支持する第２支持部材と、前記第２支持部材を、前記第１支持部材と第２支持部材間の角度が変えられるように前記第１支持部材に支持する第３支持部材と、前記第１支持部材上面の端部に設けられた突起部材とを有し、前記第１、第２支持部材上にノート型パソコンが開いた状態で載置された場合に、前記ノート型パソコンが前記第１支持部材上から脱落しないように前記突起部材によって規制することを特徴とするノート型パソコン用台が提供される。
【０００６】
ここで、前記第３支持部材の一端側は第１ヒンジによって回転可能に前記第１支持部材に取り付けられると共に前記第３支持部材の他端側には第２ヒンジ及び前記第２ヒンジと一体に第１面ファスナが設けられ、前記第２支持部材の下面側には前記第１面ファスナと貼り付くことが可能な第２面ファスナが一体に設けられ、前記第１面ファスナと第２面ファスナの貼り付け位置を変えることによって前記第１支持部材と第２支持部材間の角度が可変に構成されて成り、前記第１支持部材の上面と前記第２支持部材の上面がなす角が鈍角になるように、前記第２支持部材が前記第３支持部材によって支持されるように構成してもよい。
【０００７】
また、本発明によれば、相対的に開閉自在に構成されると共にキーボードが設けられた第１筐体と表示部が設けられた第２筐体とを有するノート型パソコンと、前記いずれかに記載のノート型パソコン用台を用いて、使用者の胸上に載置した前記第１支持部材及び前記第１支持部材に対して所定角度開いた状態で前記第３支持部材によって支持した第２支持部材の上に、前記ノート型パソコンの第１筐体及び第２筐体を相対的に所定角度開いた状態で前記第１筐体を載置すると共に前記第１筐体の前部側が前記突起部材に当接するように位置させて使用することを特徴とするノート型パソコン用台の使用方法が提供される。
ここで、前記第１支持部材の上面及び第２支持部材の上面と前記ノート型パソコンの第１筐体との間に、前記ノート型パソコンが前記第１支持部材の上面及び第２支持部材の上面から滑り落ちないように所定の摩擦係数を有する滑り防止シートを配置して使用するようにしてもよい。
【発明の効果】
【０００８】
本発明によれば、簡単な構成で、使用者が仰向けに寝た状態や横向きに寝た状態でも使用可能なノート型パソコン用台を提供することが可能になる。
また、本発明によれば、使用者が仰向けに寝た状態や横向きに寝た状態でも使用可能なノート型パソコン用台の使用方法を提供することが可能になる。
【発明を実施するための最良の形態】
【０００９】
以下、本発明の実施の形態に係るノート型パーソナルコンピュータ（以下パソコンと称す。）用台及びその使用法について、図面を用いて説明する。尚、各図において同一部分には同一符号を付している。
図１は本発明の第１の実施の形態に係るノート型パソコン用台の斜視図である。また、図２は図１のノート型パソコン用台の正面図、図３は図１のノート型パソコン用台の背面図、図４は図１のノート型パソコン用台の左側面図である。
図１、図４、図６には、第１〜第３支持部材１０１、１０７、１１２が固定されていない状態で、ヒンジによって第１〜第３支持部材１０１、１０７、１１２が相対的に回転可能な方向と、ノート型パソコン５０１の筐体５０２、５０４が相対的に回転可能な方向を矢印で示している。
【００１０】
図１〜図４において、ノート型パソコン用台１００は、平板状の第１支持部材１０１、平板状の第２支持部材１０７および平板状の第３支持部材１１２を備えている。第１支持部材１０１と第２支持部材１０７は長方形状に形成され、第３支持部材１１２は細長板状に形成されている。第１、第２、第３支持部材１０１、１０７、１１２は、アクリル樹脂やプラスチック等、一定の強度を有する部材によって構成することができる。
【００１１】
第１支持部材１０１の上面（ノート型パソコンを載せる面）の前部側（使用時に使用者の頭側に位置する側）には、ノート型パソコンを載置した状態でノート型パソコンが第１支持部材１０１の前部側から脱落しないように脱落防止用の突起部材１０２が第１支持部材１０１と一体に設けられている。第１支持部材１０１の上面の前部側の左右側部には各々、ノート型パソコンを載置した状態でノート型パソコンが第１支持部材１０１の左右側部方向に位置ズレしないように突起部材１０３が第１支持部材１０１と一体に設けられている。
【００１２】
第１支持部材１０１の上面の後部側には、第１支持部材１０１と第２支持部材１０７を閉じた状態にしたときに第２支持部材１０７に当接して、第１支持部材１０１と第２支持部材１０７との間に所定の間隙を作る複数の突起部材１０４が第１支持部材１０１と一体に設けられている。
第１支持部材１０１の上面の後部側中央には、面ファスナ１１５、１１６によってヒンジ１１１が着脱自在に取り付けられている。面ファスナ１１５は接着剤等によって第１支持部材１０１と一体に設けられている。面ファスナ１１６は接着剤等によってヒンジ１１１と一体に設けられている。図１〜図４は面ファスナ１１５と面ファスナ１１６とを貼り付けた状態を示している。
【００１３】
面ファスナ１１５と面ファスナ１１６を相対的に剥がすことによって、ヒンジ１１１を第１支持部材１０１から剥がすことができる。尚、面ファスナ１１５、１１６を用いずに、接着剤等によってヒンジ１１１を第１支持部材１０１に一体に設けるようにしてもよい。
ヒンジ１１１には第３支持部材１１２の一端が一体に取り付けられており、ヒンジ１１１によって第３支持部材１１２は第１支持部材１０１に対して相対的に回転可能に取り付けられている。第３支持部材１１２の他端にはヒンジ１１３が一体に設けられており、ヒンジ１１３には面ファスナ１１４が接着剤等によって一体に取り付けられている。
【００１４】
第１支持部材１０１の下面側には使用状態において、第１支持部材１０１が使用者の胸上等に載置された状態で位置ズレしないように、複数の突起部材１０５が一体に設けられている。各突起部材１０５は摩擦係数の大きい部材によって構成することが好ましい。尚、第１支持部材１０１を一定値以上の摩擦係数を有する部材によって構成する場合、突起部材１０５が無くても位置ズレしないようなときには、各突起部材１０５は不要である。
第１支持部材１０１と第２支持部材１０７の前部側は、複数のヒンジ１０６によって相対的に回転可能な状態で連結されている。
【００１５】
第２支持部材１０７の上面の隅部には、複数の面ファスナ１０９が接着剤等によって接着されている。ノート型パソコン用台１００上にノート型パソコンを載置したとき、面ファスナ１０９に対応するノート型パソコンの位置に面ファスナを被着しておけば、これらの面ファスナを互いに貼り付けることによってノート型パソコンが位置ズレするのを防止できる。
尚、ノート型パソコンには面ファスナを設けずに、面ファスナ１０９に代えて第１支持部材１０１、第２支持部材１０７として一定の摩擦係数を有する部材を使用するようにしても、位置ズレを防止することが可能になる。この場合、突起部材１０３を省略するようにしてもよい。
【００１６】
第２支持部材１０７の下面中央部には、細長形状の面ファスナ１１０が接着剤によって接着されている。面ファスナ１１０は、第１支持部材１０１と第２支持部材１０７とが相対的に回転できる方向（図１の矢印方向）に沿って、細長形状に形成されている。これにより、面ファスナ１１４と面ファスナ１１０とを貼り付ける位置を大きく変えることが可能であり、第１支持部材１０１と第２支持部材１０７の相対的な角度を大きく変えることができるように構成されている。
【００１７】
図１の状態では、面ファスナ１１０と面ファスナ１１４が貼り付けられた状態にある。面ファスナ１１４と面ファスナ１１０とを貼り付ける位置を変えることによって、第１支持部材１０１に対する第２支持部材１０７の相対的な角度を変えることができる。
尚、本実施の形態では、第１支持部材１０１に対する第２支持部材１０７の相対的な角度を変えるべく、第２支持部材１０７に対する第３支持部材１１２の固定位置を可変にするために、可変固定部材として面ファスナ１１０、１１４を用いたが、クリック機構等を用いた公知の可変固定部材を使用してもよい。
【００１８】
第２支持部材１０７の下面には、第１支持部材１０１と第２支持部材１０７を閉じた状態にしたときに第１支持部材１０１に当接して、第１支持部材１０１と第２支持部材１０７との間に所定の間隙を作る複数の突起部材１０８が一体に設けられている。
第１支持部材１０１と第２支持部材１０７を相対的に閉じた状態にしたとき、突起部材１０４、１０８によって、第１支持部材１０１と第２支持部材１０７間に間隙が形成され、前記間隙内にヒンジ１１１、１１３、第３支持部材１１２、面ファスナ１１０、１１４、１１５、１１６が収容される。また、第１支持部材１０１と第２支持部材１０７とを相対的に閉じた状態では、第１支持部材１０１と第２支持部材１０７の前部側が一致するように構成されている。係る構成によって、ノート型パソコン用台１００をコンパクトに収納することができる。
【００１９】
尚、第１支持部材１０１と第２支持部材１０７間に、ヒンジ１１１、１１３、第３支持部材１１２等を収納するための所定の間隙が形成できればよいため、突起部材１０４又は突起部材１０８の少なくとも一方を設けるように構成してもよい。また、第３支持部材１１２を第１支持部材１０１及び第２支持部材１０７から取り外して収納する場合等のように、第１支持部材１０１と第２支持部材１０７間にヒンジ１１１、１１３、第３支持部材１１２等を収納するための間隙を確保する必要がなければ、突起部材１０４や突起部材１０８は無くてもよい。
【００２０】
図５〜図７は、本発明の実施の形態に係るノート型パソコン用支持台１００の使用方法を説明する図で、図５はノート型パソコン用支持台１００にノート型パソコン５０１を載せた状態の正面図、図６はノート型パソコン用支持台１００にノート型パソコン５０１を載せた状態の左側面図である。また、図７は、ノート型パソコン用支持台１００にノート型パソコン５０１を載せると共に、仰向けに寝た使用者６０１の胸上にノート型パソコン用支持台１００を載せてノート型パソコン５０１を使用している図である。
【００２１】
図１〜図７において、第１支持部材１０１と第２支持部材１０７を所望の角度に開いた状態で、ヒンジ１１１に一体に設けられている面ファスナ１１６を、第１支持部材１０１に一体に設けられている面ファスナ１１５に貼り付ける。これにより、ヒンジ１１１を介して第３支持部材１１２を第１支持部材１０１に取り付ける。
次に、ヒンジ１１３に一体に設けられている面ファスナ１１４を、第２支持部材１０７に一体に設けられている面ファスナ１１０に貼り付ける。これにより、第１支持部材１０１と第２支持部材１０７は、第３支持部材１１２によってこのときの角度で固定される。図示した例では、第１支持部材１０１の上面と第２支持部材１０７の上面がなす角が鈍角になるように、第２支持部材１０７が第３支持部材１１２によって支持されるようにしている。これにより、ノート型パソコン用台１００上にノート型パソコンを安定した状態で載せることができる。
【００２２】
次に、第１支持部材１０１、第２支持部材１０７及び突起部材１０２上に、所定の摩擦係数を有する滑り防止シート５００を載せる。滑り防止シート５００は、ノート型パソコン５０１が第１支持部材１０１の上面及び第２支持部材１０７の上面から滑り落ちないように所定の摩擦係数を有するシートであり、スポンジシート、シリコンシート、ポリウレタンシート等の所定の摩擦係数を有する柔軟なシートが使用できる。
【００２３】
この状態で、ノート型パソコン用台１００上に配置された滑り防止シート５００上にノート型パソコン５０１を載せる。ノートパソコン５０１は、キーボード５０５が設けられている第１筐体５０４と、表示部５０３が設けられている第２筐体５０２とを有している。
滑り防止シート５００を介して、第１筐体５０４の前部が突起部材１０２に当接するように位置すると共に第１筐体５０４の両側部が左右の突起部材１０３の間に位置するように配置して、第１筐体５０４を第２支持部材１０７上に載せる。
これにより、第１支持部材１０１の上面及び第２支持部材１０７の上面とノート型パソコン５０１の第１筐体５０４との間に滑り防止シート５００が配置されることになる。
【００２４】
図７に示すように、ノート型パソコン用台１００上にノート型パソコン５０１を載せた状態で、仰向けに寝た状態の使用者６０１の胸の上に、第１支持部材１０１下面が前記使用者の胸に当接するようにして載せる。このようにして、使用者６０１は仰向けに寝た状態で、第２筐体５０２の表示部を見ながら第１筐体５０４のキーボード等を操作してノート型パソコン５０１を使用する。
また、図７に示すようにノート型パソコン用台１００及びノート型パソコン５０１を使用者の胸に載せた状態から、使用者がノート型パソコン用台１００及びノート型パソコン５０１とともに体全体が横を向くように寝て、当該寝た状態でノート型パソコン５０１を操作して使用することもできる。
【００２５】
以上述べたように本第１の実施の形態に係るノート型パソコン用台１００は、第１、第２支持部材１０１、１０７はヒンジ１０６によって相互に回転可能に連結されている。第１、第２支持部材１０１、１０７上にノート型パソコン５０１を開いて載置した状態で、突起部材１０２はノート型パソコン５０１が第１支持部材１０１上から脱落しないように規制する。第３支持部材１１２と一体に設けられたヒンジ１１３に一体に設けられた面ファスナ１１４と、第２支持部材１０７背面に一体に設けられた面ファスナ１１０との貼り付け位置を変えることにより、第１、第２支持部材１０１、１０７の相対的角度を変えて、パソコン５０１の載置角度を調整する。使用者は仰向けに寝た状態で、ノート型パソコン５０１を載せた状態のパソコン台１００を自己の胸上に載せて、ノート型パソコン５０１を操作して使用するように構成している。
【００２６】
したがって、簡単な構成で、使用者が仰向けに寝た状態で使用可能なノート型パソコン用台を提供することが可能になる。
また、簡単な構成で、使用者が仰向けに寝た状態や横向きに寝た状態でも使用可能なノート型パソコン用台を提供することが可能になる。
また、本第１の実施の形態に係るノート型パソコン用台１００は前記の如くして使用するので、キーボードが使用者の胸の近くに位置することになるため、腕を高く上げることなくノート型パソコン５０１のキーボードの操作が可能になり、長く操作しても腕の疲れが少ない。また、ノート型パソコン５０１をノート型パソコン用台１００に載せた状態で使用する構成であるため、ノート型パソコン用台１００及びノート型パソコン５０１とともに横向きに寝返りを打って、横向きに寝た状態でも使用することが可能であり、極めて使い勝手がよい等の効果を奏する。
【００２７】
図８は本発明の第２の実施の形態に係るノート型パソコン用台の斜視図である。また、図９は図８のノート型パソコン用台の正面図、図１０は図８のノート型パソコン用台の背面図、図１１は図８のノート型パソコン用台の右側面図である。尚、図８〜図１１では、第３支持部材８０７を一定角度上方に持ち上げた状態を示している。
図８〜図１１において、ノート型パソコン用台８００は、平板状の第１支持部材８０１、平板状の第２支持部材８０９および平板状の第３支持部材８０７を備えている。第１支持部材８０１は長方形状に形成され、第２支持部材８０９は円板状に形成され、第３支持部材８０７は細長板状に形成されている。第１、第２、第３支持部材８０１、８０９、８０７は、アクリル樹脂やプラスチック等、一定の強度を有する部材によって構成することができる。
【００２８】
第１支持部材８０１の上面（ノート型パソコンを載せる面）の前部側（使用時に使用者の頭側に位置する側）には、ノート型パソコンを載置した状態でノート型パソコンが第１支持部材８０１の前部側から脱落しないように脱落防止用の突起部材８０２が一体に設けられている。突起部材８０２の大きさや個数は適宜設定できる。
第１支持部材８０１の上面の後部側の端部には平板状の第４支持部材８０５が面ファスナ８１１、８１２を介して着脱自在に設けられている。第４支持部材８０５も、アクリル樹脂やプラスチック等、一定の強度を有する部材によって構成することができる。
【００２９】
面ファスナ８１１は接着剤等によって第１支持部材８０１に一体に設けられ、面ファスナ８１２は接着剤等によって第４支持部材８０５に一体に設けられている。面ファスナ８１１、８１２を貼り付けることによって第４支持部材８０５を第１支持部材８０１に取り付け、面ファスナ８１１、８１２を相対的に剥がすことによって第４支持部材８０５を第１支持部材８０１から取り外すことができるように構成されている。尚、第１支持部材８０１を第４支持部材８０５と一体に構成するようにしてもよい。
【００３０】
第１支持部材８０１の下面側には使用状態において、第１支持部材８０１が使用者の胸上等に載置された状態で位置ズレしないように、複数の突起部材８０３が一体に設けられている。各突起部材８０３は摩擦係数の大きい部材によって構成することが好ましい。第１支持部材８０１を一定値以上の摩擦係数を有する部材によって構成する場合、突起部材８０３が無くても位置ズレしないようなときには、各突起部材８０３は不要である。
【００３１】
尚、複数の突起部材８０３を設けると共に、第４支持部材８０５を第１支持部材８０１から取り外し可能に構成した場合、突起部材８０３がノート型パソコン５０１の隅に位置するように位置合わせして（即ち、突起部材８０３がノート型パソコン５０１のキーボードに当接しない一に位置合わせして）、第１支持部材８０１のみをノート型パソコン５０１の第１筐体５０４上に載せる。これにより、第１支持部材８０１をコーヒーカップ等を載せる台としても使用することが可能になる。
【００３２】
第４支持部材８０５の上面にはヒンジ８０６が一体に設けられている。ヒンジ８０６には第３支持部材８０７の一端が一体に取り付けられており、ヒンジ８０６によって第３支持部材８０７は第１支持部材８０１に対して相対的に回転可能に取り付けられている。第３支持部材８０７の他端はヒンジ８０８によって第２支持部材８０９と連結されており、第３支持部材８０７と第２支持部材８０９は矢印方向に相対的に回転可能に取り付けられている。これにより、第２支持部材８０９は第３支持部材８０７によって、第１支持部材８０１に対して回転可能に支持されている。
【００３３】
第２支持部材８０９の前部側（ノート型パソコン５０１を取り付ける側）には、第２支持部材８０９が第３支持部材８０７を軸として回転する方向（図８の矢印方向）に長い長方形状の面ファスナ８１０が接着剤によって一体に設けられている。
尚、本実施の形態では、ノート型パソコン５０１を支持する際に、ノート型パソコン５０１に対する第２支持部材８０９の固定位置を可変にして、第１支持部材８０１と第３支持部材８０７の角度を変えることができるようにするため、可変固定部材として面ファスナ８１０を使用しているが、クリック機構等を用いた公知の可変固定部材を使用してもよい。
【００３４】
図１２及び図１３は、本発明の実施の形態に係るノート型パソコン用支持台８００の使用方法を説明する図で、図１２はノート型パソコン用支持台８００にノート型パソコン５０１を載せて支持した状態の右側面図、図１３はノート型パソコン用支持台８００にノート型パソコン５０１を載せて支持した状態の背面図である。
尚、図８、図１１、図１２において、第１〜第３支持部材８０１、８０９、８０７が固定されていない状態で、ヒンジによって第１〜第３支持部材８０１、８０９、８０７が相対的に回転可能な方向と、ノート型パソコン５０１の筐体５０２、５０４が相対的に回転可能な方向を矢印で示している。
【００３５】
図８〜図１３において、先ず、面ファスナ８１１と面ファスナ８１２を貼り付けることによって第４支持部材８０５を第１支持部材８０１に取り付け、この状態で、第１支持部材８０１と第３支持部材８０７を所望の角度に開いて第２支持部材８０９を所望の高さに手で保持する。
次に、第１支持部材８０１及び突起部材８０２上に、所定の摩擦係数を有する滑り防止シート１２００を載せる。滑り防止シート１２００は、ノート型パソコン５０１が第１支持部材８０１の上面から滑り落ちないように所定の摩擦係数を有するシートであり、スポンジシート、シリコンシート、ポリウレタンシート等の所定の摩擦係数を有する柔軟なシートが使用できる。
【００３６】
次に、ノート型パソコン５０１のキーボード５０５が設けられている第１筐体５０４の前部が、滑り防止シート１２００を介して突起部材８０２に当接するように第１支持部材８０１上に載せる。
ノート型パソコン５０１の背面には面ファスナ８１０に貼り付けることが可能な位置に面ファスナ１２０１が接着して一体に設けられており、ノート型パソコン５０１の角度が所望の角度になったところで、面ファスナ１２０１と面ファスナ８１０を互いに貼り付ける。これにより、図１２、図１３に示すように、ノート型パソコン５０１はノート型パソコン用台８００に所望の角度で支持される。図示した例では、第１支持部材８０１の上面と第２支持部材８０９の上面（即ちノート型パソコン５０１側の前面）がなす角が鈍角になるように、第２支持部材８０９が第３支持部材８０７によって支持されるようにしている。これにより、ノート型パソコン用台８００上にノート型パソコン５０１を安定した状態で載せることができる。
【００３７】
前記第１の実施の形態と同様に、ノート型パソコン用台８００上にノート型パソコン５０１を載せた状態で、仰向けに寝た状態の使用者６０１の胸の上に、第１支持部材８０１下面が前記使用者６０１の胸に当接するようにして載せる。このようにして、使用者６０１は仰向けに寝た状態で、第２筐体５０２の表示部５０３を見ながら第１筐体５０４のキーボード５０５等を操作してノート型パソコン５０１を使用することができる。
また、ノート型パソコン用台８００及びノート型パソコン５０１を使用者の胸上に載せた状態から、使用者がノート型パソコン用台８００及びノート型パソコン５０１とともに横向きに寝返りを打つことによって、使用者は横向きに寝た状態でもノート型パソコンを操作して使用することが可能になる。
【００３８】
本第２の実施の形態に係るノート型パソコン用台８００は以上のように構成されているため、前記第１の実施の形態と同様の効果を奏するばかりでなく、前記第１の実施の形態よりも更に構成が簡単であるという効果を奏する。
尚、本第２の実施の形態では、第２支持部材８０９及びノート型パソコン５０１に面ファスナ８１０、１２０１を接着して使用するように構成したが、第２支持部材８０９に摩擦係数が一定値以上の部材を被着して使用すれば、ノート型パソコン５０１側の面ファスナ１２０１を不要にすることができる。また、第２支持部材８０９を摩擦係数が一定値以上の材料を使用すれば、前記部材や面ファスナ８１０、１２０１を不要にすることができる。
【産業上の利用可能性】
【００３９】
各種のノート型パソコンを載せて使用する台に利用可能である。
【図面の簡単な説明】
【００４０】
【図１】本発明の第１の実施の形態に係るノート型パソコン用台の斜視図である。
【図２】本発明の第１の実施の形態に係るノート型パソコン用台の正面図である。
【図３】本発明の第１の実施の形態に係るノート型パソコン用台の背面図である。
【図４】本発明の第１の実施の形態に係るノート型パソコン用台の左側面図である。
【図５】本発明の第１の実施の形態に係るノート型パソコン用台の使用方法を説明する図である。
【図６】本発明の第１の実施の形態に係るノート型パソコン用台の使用方法を説明する図である。
【図７】本発明の第１の実施の形態に係るノート型パソコン用台の使用方法を説明する図である。
【図８】本発明の第２の実施の形態に係るノート型パソコン用台の斜視図である。
【図９】本発明の第２の実施の形態に係るノート型パソコン用台の正面図である。
【図１０】本発明の第２の実施の形態に係るノート型パソコン用台の背面図である。
【図１１】本発明の第２の実施の形態に係るノート型パソコン用台の右側面図である。
【図１２】本発明の第２の実施の形態に係るノート型パソコン用台の使用方法を説明する図である。
【図１３】本発明の第２の実施の形態に係るノート型パソコン用台の使用方法を説明する図である。
【符号の説明】
【００４１】
１００、８００・・・ノート型パソコン用台
１０１、８０１・・・第１支持部材
１０７、８０９・・・第２支持部材
１１２、８０７・・・第３支持部材
１０２、１０３、１０４、１０５、１０８、８０２、８０３・・・突起部材
１０６、１１１、１１３、８０６、８０８・・・ヒンジ
１０９、１１０、１１４、１１５、１１６、８１０、８１１、８１２、１２０１・・・面ファスナ
５００、１２００・・・滑り防止シート
５０１・・・ノート型パソコン
５０２・・・第２筐体
５０３・・・表示部
５０４・・・第１筐体
５０５・・・キーボード
８０５・・・第４支持部材
【図１】
2010009460.tif 000003
【図２】
2010009460.tif 000004
【図３】
2010009460.tif 000005
【図４】
2010009460.tif 000006
【図５】
2010009460.tif 000007
【図６】
2010009460.tif 000008
【図７】
2010009460.tif 000009
【図８】
2010009460.tif 000010
【図９】
2010009460.tif 000011
【図１０】
2010009460.tif 000012
【図１１】
2010009460.tif 000013
【図１２】
2010009460.tif 000014
【図１３】
2010009460.tif 000015